(57)【特許請求の範囲】
【請求項１】
歯が形成されたストラップ（１）と、前記ストラップの一端部（６）に固定されるロック部（２）とを備え、前記ロック部（２）はストラップ自由端（７）を収容して留めるストラップ開口部（８）を有するとともに、ストラップ（１）との連結部（３６）に対向して位置する側面に前記ストラップ開口部（８）の方向（１５）に対して横切る方向に位置するストラップガイド面（３０）を形成し、前記ストラップガイド面（３０）の両側縁部に突出した縁隆起部（３１）を設けた、ケーブル束（１７）のような対象物を結束する装置において、
前記ストラップガイド面（３０）は前記ストラップ開口部（８）の方向（１５）に対して鈍角を形成して延びており、前記ストラップガイド面（３０）の重要部分の方向（３９）は、張力がかかっていない状態で前記ロック部（２）から延びる前記ストラップ（１）の中心線と、前記ストラップ（１）が固定される前記壁（９）の中心線との交点を通過するまで、大きくてもストラップ厚みの半分の距離をもって延びており、前記ストラップガイド面（３０）は前記ストラップ厚みの１．５倍に少なくとも等しい半径をもつ湾曲部（２６）によって前記ストラップ開口部（８）の方向に合流していることを特徴とする装置。
【請求項２】
前記縁隆起部（３１）間の距離は前記ストラップの幅を１０％以下だけ超えることを特徴とする請求項１に記載の装置。
【請求項３】
前記ストラップガイド面（３０）から上の前記縁隆起部の最大高さ（３３）は、前記ストラップの厚みの少なくとも半分であることを特徴とする請求項１または２に記載の装置。
【請求項４】
前記対象物（１７）に向いた前記ストラップの側面は、歯を有しないことを特徴とする請求項１ないし３のいずれかに記載の装置。
【請求項５】
結束される前記対象物（１７）に向くことになる前記ストラップ（１）の側面（３）上において前記ストラップ（１）の側縁部（５）には丸くなった部分または面取りした部分が設けられ、前記各側面から見たときの前記部分の幅（３４，３５）は前記ストラップの厚みの少なくとも約半分に等しいことを特徴とする請求項１ないし４のいずれかに記載の装置。
【発明の詳細な説明】
【０００１】
（技術分野）
本発明は、請求項１の前段部に記載されるようなケーブル束などの対象物を結束する装置に関する。
【０００２】
（背景技術）
歯を形成したストラップと、ストラップの一端に固定されるとともにストラップ自由端を収容して留めるストラップ開口部を有するロック部とを備えた公知の装置（ＥＰ−Ａ−７５  ５０１）に基づくものである。ストラップは、結束される対象物に向けられたロック部の側面からストラップ開口部内に導かれて、他方の側面側から引っ張られる。取り囲まれた対象物がその断面において丸い境界を有する場合、ストラップはその丸い境界に沿ってロック部に接線方向に接近する。直径が大きいときには、２つのストラップ端部が両側からロック部に接近する。角度が９０度またはそれ以下になるのは対象物が非常に小さい直径を有する場合だけである。ストラップ自由端がロック部のストラップ開口部に入れられる前に、それはまず結束される対象物側に向いたロック部の表面上に配置される。この表面は、以下においてストラップガイド面と言われる。このストラップガイド面に従って、ストラップはストラップ開口部の方向に偏向される。公知のケーブル結束装置では、これは最初にストラップ自由端によって到達されるロック部の最下部エッジである。
【０００３】
ストラップが引っ張られるとき、一方では（主にストラップの偏向領域において）ストラップとロック部との間に作用する摩擦を克服する必要があり、他方ではストラップと結束される対象物との間に作用する摩擦を克服する必要がある。この摩擦は、場合によってかなりの範囲で異なり得るものである。これは、張力を決定する結果として、対象物を取り囲むストラップ部分に所定の張力をかけるための努力について破壊的な影響を及ぼす。結束される対象物の表面がストラップによって受ける摩擦は、場合によって異なるが、ストラップの張力にも影響をを及ぼす。また、不都合な事実として、結束される対象物の表面上を滑って張力をかけられるストラップの動作は、対象物の表面（例えばケーブルの絶縁皮膜）を損傷するおそれがある。
【０００４】
（発明の開示）
本発明は、請求項１の特徴によってこれらの不都合を除去または緩和するものである。そのために、ストラップガイド面の側縁部に突出した縁隆起部を設ける。このことは、ガイド面上を移動するストラップのために横のガイドを形成することになる。これは、ストラップが偏向面に到達し、その偏向面は、前記偏向面の湾曲部の軸に対して正確かつ垂直に、ストラップガイド面につづくストラップ開口部内へとストラップを偏向させるのを確実にする。このことは、ストラップとロック部との間の摩擦力が異なる理由が、ストラップがロック部内に時々ゆがんで入るという事実に起因することを本発明が見出したことによるものである。
【０００５】
また、ストラップガイド面の突出した側縁部は、結束される対象物の表面のために、ストラップに沿った追加の支持部を形成する。このことは、結束される対象物の表面に対する移動の際にストラップがその表面に密着することによる力が低減され、これにより損傷の危険が少なくなることを意味する。
【０００６】
縁隆起部による横の摩擦は、縁隆起部間の距離がストラップの幅を大きくは超えないことを必要とする。通常、側隆起部間の距離は、１０％以下だけストラップの幅を超えるようにすべきである。ストラップの幅の約３ないし７％広い距離がより好ましい。
【０００７】
側隆起部が対象物の表面に対して効果的な支持を与えるためにガイド面から上の側隆起部の高さは、対象物の弾力性による。対象物が柔らかいほど、側隆起部に要求される高さは小さくなる。ケーブルハーネスを結束するのに役立つ結束装置では、ガイド面から上の縁隆起部の最大高さがストラップの厚みの少なくとも半分であれば好結果が得られることが証明された。これとの関連で、結束される対象物側に向いたストラップの側面において、ストラップの縁に丸くなった部分または面取りした部分が設けられており、その部分の幅が各側面から見てもストラップの厚みの少なくとも約半分に等しいことが好都合である。
【０００８】
本発明は、ストラップとロック部との間の摩擦を低減するために、ストラップが湾曲部の最大限に可能な半径でもってストラップ開口部の方向へ通過するのが好都合であることを見出した。したがって、ストラップガイド面は、湾曲部でもってストラップ開口部の表面に至るべきであり、その湾曲部の半径はストラップの厚みの少なくとも半分に等しい。
【０００９】
ストラップガイド面は、細長く延びており、かつ、ストラップ開口部の方向と鈍角をなすことが好ましい。前記鈍角は、１１０度以上であることが好ましく、１２０度以上であることがより好ましい。
【００１０】
縦断面においてストラップガイド面がおおよそ直線状に延びていることによって良い結果が得られる。
【００１１】
結束される対象物に対してストラップガイド面は、ロック部に向かってストラップが延びる方向、すなわち、円周方向または接線方向と一致する方向を採るべきである。これには、他方のストラップ端部がロック部に固定された領域に対してこのストラップガイド面の特定の配列または整合を必要とする。ストラップガイド面の方向は、この領域と直線状にそろっていることが好ましい。この領域の中心点が、張力のかかっていない状態でロック部から延びているストラップの中心線とストラップが一体に固定されている壁の中心線との交点として決められれば、ストラップガイド面の重要部分の方向はその中心点と直線状にそろっているべきであり、すなわち、ストラップガイド面の延長線はストラップの厚みの半分よりも大きくない距離で前記中心点を通るべきである。
【００１２】
本発明は、好都合な例示での態様を示す図面を参照して以下により詳細に説明されている。
【００１３】
（発明を実施するための最良の形態）
結束装置はストラップ１とロック部２を有する。ストラップ１とロック部２は、互いに一体に連結されるとともに、ポリアミドのような丈夫で弾力のあるプラスチックからなる。ストラップ１は側面３が本質的に滑らかで、その反対側面は側縁部５の間に歯形成部４を有している。
【００１４】
ロック部は、４つの壁を有するストラップ開口部８を有する。前記４つの壁とは、ストラップ１の端部６が連結されている壁９、２つの側壁１０、および、前記ストラップ開口部８内に突出する戻り止め１２を支持する壁１１である。前記戻り止めは、曲がり可能な結合部１３によって壁１１に連結されると共に、ストラップ１の端部が図１に示すようにストラップ開口部８を通って導かれたときにストラップ１の歯形成部４と相互に作用する歯１４を有する。ストラップがストラップ開口部８を通って移動する方向１５は、戻り止め１２の対抗制止機能(opposing restraining action)によって決められる。ストラップ自由端７がストラップ開口部８に挿入される側が結束されることになる対象物に向いている。図１において結束されることになる対象物は幾らかのケーブル１７からなることが想定される。
【００１５】
使用のために、ストラップ１は結束されることになる対象物の周囲に配置され、その自由端７が適当な工具によって矢印方向１６に引っ張られる。所望のバンド張力に達したら、ロック部２から突出するストラップの端部が切り取られる。この目的に適した操作および工具は公知であるので、ここでの詳細な図示および説明は必要ではない。
【００１６】
張力が付加された状態で、ストラップは対象物の断面の表面に密着する。多くの場合、これは円形断面である。その結果、ロック部２上で締め付けられる端部６、および、ストラップ自由端７は、おおよそ円周方向または矢印２０，２１の接線方向にロック部２へ向けて延びる。対象物の直径に応じて、これらの方向２０，２１は、多くの場合に１３０度から１７０度の間の鈍角をなす。図示されるケーブル束において、この角度は１４０度から１６０度の間に想定される。
【００１７】
歯形成部４および戻り止めの歯１４は適当に相互作用することができるように、ストラップ開口部８の表面はストラップをガイドする機能を有する。それらの表面は、壁９の内面２２、側壁１０の内面２３、および、戻り止め１２に沿って両側に壁１１から突出する支持隆起部(supporting ridges)２５により形成される表面２４によって形成される。ストラップ端部７がロック部２に接近する方向２１はストラップ開口部８の方向１５，１６とは異なるので、これらの支持隆起部２５はまた湾曲領域２６を形成し、その偏向領域においてストラップを支持する。湾曲部２６の領域の湾曲は、湾曲部の軸３２を中心とする円弧にならっている。
【００１８】
ここまで示された構成は公知であるとみなされる。本発明によれば、湾曲部２６の領域はストラップガイド面３０の前方に配置されている。ストラップガイド面３０上にストラップがそれ自体で位置する。また、ストラップガイド面３０は、縁隆起部３１によって両側を囲まれている。両側の縁隆起部３１の間の距離は、ストラップ１の幅よりもあまり大きくない。縁隆起部３１はストラップ１に横のガイドを提供し、ストラップが湾曲部の軸３２に対して垂直に湾曲部領域へと延びるのを確実にする。これにより、ストラップとロック部との間での予測できない割合の摩擦を生じさせるゆがんだ位置が防止される。その結果として、ストラップとロック部への力の好都合な導入(introduction)が援助される。したがって、この装置はより大きな力を吸収することになる。
【００１９】
結束されることになる対象物（図１および２の場合はケーブル１７）が十分に柔らかい場合には、対象物はストラップ１に対して密着するときに変形する。ストラップ１のエッジ部は丸くなっているので、通常は悪影響を及ぼさない。しかしながら、張力付加操作の際にロック部内に引っ張られるストラップ端部７の領域において、対象物の変形とストラップ端部７に対する対象物の移動とが組み合わさると、対象物は特定の情況において損傷するかもしれない。本発明によれば、対象物１７がストラップ１の両側にある縁隆起部３１上で支持され得るように、ストラップガイド面の領域においてストラップ端部７の両側にある縁隆起部３１はそれらの選択された高さ３３によってその危険性を低減するために利用される。このために、縁隆起部の高さ３３は、ストラップの厚みの少なくとも約半分とする。縁隆起部の高さは、もっと高くすることもでき、ストラップ厚みの大きさまで達するか、または、それ以上であってもよい。
【００２０】
縁隆起部３１の支持機能は、ストラップのエッジを丸くすることによって補強される。ストラップの平面において、この丸くなった部分の幅３４は、ストラップの厚みの半分よりも大きい。同じことが、ストラップの側面の丸くなった部分の幅３５についても当てはまる。このように丸くなった部分の大きさと縁隆起部３１の支持機能とによって、ストラップ１のエッジの領域における対象物１７の可能性のある有害な張力のピークを回避することができる。
【００２１】
ストラップが最大限の表面積でもってストラップガイド面３０上で支持される得るために、ストラップガイド面は、好ましくはストラップの厚みの半分より大きい長さで、細長く延長して形成されている。ストラップガイド面は、ストラップ端部６がロック部の壁９に連結された領域３６とそろって並んでいる。実際には、ストラップガイド面は、この領域３６の中心点に向いており、この中心点はストラップ端部９の中心線３８と壁９の中心線との交点として表される。一点鎖線で示されるストラップガイド面３０の延長線３９がこの中心点を通るまでの距離は、ストラップの厚みより大きくすべきでなく、好ましくはストラップの厚みの半分よりも大きくすべきでない。
【図面の簡単な説明】
【図１】  ストラップロック部、その中に保持されたストラップ自由端、および、ストラップによって囲まれたケーブル束の一部分を含む構成の部分的縦断面図。
【図２】  図１のII線に沿った断面図。
【図３】  ストラップ部の斜視図。
【図４】  結束される対象物に向けられる側面でのロック部を示す図。
【図５】  ロック部の縦断面図。
【図６】  結束される対象物とは反対側に向けられる側面でのロック部を示す図。
【符号の説明】
１…ストラップ、２…ロック部、３…側面、４…歯形成部、５…側縁部、６…ストラップ固定端、７…ストラップ自由端、８…ストラップ開口部、９，１０，１１…壁、１２…戻り止め、１７…対象物、２６…湾曲部、３０…ストラップガイド面。
【図１】
0004530600.tif 000002
【図２】
0004530600.tif 000003
【図３】
0004530600.tif 000004
【図４】
0004530600.tif 000005
【図５】
0004530600.tif 000006
【図６】
0004530600.tif 000007